(57)【特許請求の範囲】
【請求項１】
冷蔵庫の前面開口部における幅方向一方側に設けられたヒンジ部に回動自在に取り付けられて当該開口部を閉塞する扉において、
扉内側に収納ポケットを設け、
該収納ポケットが扉開閉時における収納物の落下を防止する壁を備え、
この壁の高さを、扉の反ヒンジ側端部に対してヒンジ側端部を低く設定した
ことを特徴とする冷蔵庫扉。
【請求項２】
前記壁の高さをヒンジ側ほど漸次に低くなるように傾斜させた
ことを特徴とする請求項１記載の冷蔵庫扉。
【請求項３】
冷蔵庫の前面開口部における幅方向一方側又は両側に設けられたヒンジ部に回動自在に取り付けられて当該開口部を閉塞する扉において、
扉内側に収納ポケットを設け、
該収納ポケットが扉開閉時における収納物の落下を防止する壁を備え、
この壁の高さを、扉の幅方向両端部に対して中央部を低く設定した
ことを特徴とする冷蔵庫扉。
【請求項４】
前記壁の高さを扉の幅方向中央部ほど漸次に低くなるように傾斜させた
ことを特徴とする請求項３記載の冷蔵庫扉。
【請求項５】
前記収納ポケットが扉の幅方向において複数に分割された
ことを特徴とする請求項１〜４のいずれか１項に記載の冷蔵庫扉。
【発明の詳細な説明】
【０００１】
【発明の属する技術分野】
本発明は、冷蔵庫の前面開口部を閉塞する冷蔵庫扉に関し、詳細には、扉内側に設けた収納ポケットの構造に関する。
【０００２】
【従来の技術】
冷蔵庫の前面開口部を閉塞する扉には、上下の扉ヒンジ部に回動自在に取り付けられた回動式扉がある。従来より、かかる回動式の冷蔵庫扉には、その庫内側に、食品等を収納するための棚状の収納ポケットが複数段に設けられている。
【０００３】
図６は、従来の冷蔵庫における冷蔵庫扉１００の開扉時での斜視図である。この冷蔵庫扉１００は、冷蔵庫本体１の上段に設けられた冷蔵室２の前面開口部を閉塞する冷蔵室扉であり、該前面開口部における幅方向一方側端部に設けられたヒンジ部３に回動自在に取り付けられている。
【０００４】
この扉１００の背面には、食品等を収納するための収納ポケット１０１が複数段、ここでは４段に設けられており、各収納ポケット１０１は、扉開閉時における収納物の落下を防止する壁１０２を備えている。この壁１０２の高さは、各収納ポケット１０１に収納可能な食品が飛び出さない程度の高さで幅方向に一定に設定されている。
【０００５】
【発明が解決しようとする課題】
上記従来の冷蔵庫扉１００においては、背の高い食品が収納可能な収納ポケット１０１では、食品の飛び出しを防止するために壁１０２の高さを一様に高くする必要があるため、食品が出し入れしにくく、使い勝手が悪いという問題がある。
【０００６】
本発明は、このような点に鑑みてなされたものであり、冷蔵庫扉の扉内側に設けた収納ポケットにおいて、扉開閉時における食品の飛び出しを防止しながら使い勝手を改善することを目的とする。
【０００７】
【課題を解決するための手段】
本発明の第１の冷蔵庫扉は、冷蔵庫の前面開口部における幅方向一方側に設けられたヒンジ部に回動自在に取り付けられて当該開口部を閉塞する扉において、扉内側に収納ポケットを設け、該収納ポケットが扉開閉時における収納物の落下を防止する壁を備え、この壁の高さを、扉の反ヒンジ側端部に対してヒンジ側端部を低く設定したものである。
【０００８】
扉内側の収納ポケットに収納されている食品等の収納物は、扉の開閉時にヒンジ部の軸を中心とした回転運動を行うため、ヒンジ部からの距離を半径とした周速度により収納物にかかる慣性力が変化する。そのため、周速度の高い反ヒンジ側で収納ポケットの壁の高さを高くし、周速度の低いヒンジ側で壁の高さを低くすることにより、収納物の飛び出しを防止しながら、特にヒンジ側において収納物を出し入れし易くして、使い勝手が向上する。
【０００９】
この第１の冷蔵庫扉においては、収納ポケットの壁の高さを扉幅方向で段差状に設けることもできるが、ヒンジ側ほど漸次に低くなるように傾斜させて設ける方が、収納ポケットの全幅において、収納物の飛び出しを防止し得る範囲内で可能な限り壁の高さを低くすることができ、好ましい。
【００１０】
本発明の第２の冷蔵庫扉は、冷蔵庫の前面開口部における幅方向一方側又は両側に設けられたヒンジ部に回動自在に取り付けられて当該開口部を閉塞する扉において、扉内側に収納ポケットを設け、該収納ポケットが扉開閉時における収納物の落下を防止する壁を備え、この壁の高さを、扉の幅方向両端部に対して中央部を低く設定したものである。
【００１１】
回動式の冷蔵庫扉においては、冷蔵庫の前面開口部における幅方向両側端部に設けたヒンジ部に取り付けられて、左側からでも右側からでも扉を開くことができるようにした両開き式の扉がある。また、片開き式の扉でも商品設定として右開きタイプと左開きタイプとが用意されており、その場合に収納ポケットを両タイプ兼用で使用する場合がある。このような場合に、第２の冷蔵庫扉であれば、収納ポケットの壁の高さを幅方向両端部に対して中央部を低く設定しているため、収納物の飛び出しを防止しながら、特に中央部において収納物を出し入れし易く、使い勝手が向上する。また、収納ポケットの壁の高さを左右対称にすることができるため、意匠性に優れる。
【００１２】
この第２の冷蔵庫扉においては、収納ポケットの壁の高さを扉幅方向で段差状に設けることもできるが、扉の幅方向中央部ほど漸次に低くなるように傾斜させて設ける方が、収納ポケットの全幅において、収納物の飛び出しを防止し得る範囲内で可能な限り壁の高さを低くすることができ、好ましい。
【００１３】
本発明の冷蔵庫扉においては、上記収納ポケットが扉の幅方向において複数に分割されていてもよい。
【００１４】
【発明の実施の形態】
以下、本発明の実施形態に係る冷蔵庫扉について図面に基づいて説明する。
【００１５】
図１は、本発明の第１の実施形態に係る冷蔵庫扉１０の斜視図であり、図２は、同冷蔵庫扉１０の平面図である。この冷蔵庫扉１０は、図６に示す従来の冷蔵庫における冷蔵庫扉１００と同様、冷蔵庫本体１の上段に設けられた冷蔵室２の前面開口部を閉塞する冷蔵室扉である。
【００１６】
該実施形態に係る冷蔵庫扉１０は、冷蔵室２の前面開口部における幅方向一方側端部（ここでは右側端部）に設けられた上下のヒンジ部３，３に回動自在に取り付けられている。この扉１０は、薄板金属製の扉正面材１２と、薄板樹脂製の扉内側材１４と、上下の樹脂製の扉キャップ１６，１８とで形成される空間に、硬質ウレタンの発泡原料を注入して断熱層（不図示）を発泡成形することにより構成される断熱扉である。なお、符号１９は、扉内側材１４の周縁部に取り付けられたガスケットを示している。
【００１７】
冷蔵庫扉１０の扉内側、即ち扉背面には、食品等を収納するための棚状の収納ポケット２０，２２，２４，２６が複数段、ここでは４段にて設けられている。収納ポケット２０，２２，２４，２６は、扉１０の略全幅にわたって形成されており、詳細には、扉スロート部を形成するために扉内側材１４の両端部に設けられた左右の突条１５，１５の間に掛け渡すように取り付けられている。
【００１８】
各収納ポケット２０，２２，２４，２６には、扉開閉時に収納物が落下するのを防止するための壁２８が設けられている。壁２８は、棚状をなす収納ポケット２０，２２，２４，２６の全幅にわたって、その後方縁部から上方に立設された後壁である。
【００１９】
この実施形態では、上２段の収納ポケット２０，２２において、壁２８の高さが、ヒンジ部３と反対側（ハンドル側）の端部である反ヒンジ側端部２８Ａに対し、ヒンジ側端部２８Ｂが低く設定されている。すなわち、反ヒンジ側端部２８Ａの高さａを最も高く、ヒンジ側端部２８Ｂの高さｂを最も低く設定している。この実施形態では、詳細には、壁２８は、反ヒンジ側端部２８Ａからヒンジ側端部２８Ｂにかけて、ヒンジ側ほど漸次に高さが低くなるように傾斜した形状に形成されている。ヒンジ側端部２８Ｂの高さｂは、反ヒンジ側端部２８Ａの高さａの１／３以下に設定することが好適である。
【００２０】
より具体的な例として、幅６７０ｍｍの扉１０において、収納ポケット２０，２２が５００ｍｌ入りの飲料缶（高さ１６７ｍｍ、直径６６ｍｍ）を収納可能であり、その幅ｗが４５０ｍｍ、奥行きｄが１５０ｍｍである場合に、反ヒンジ側端部２８Ａの高さａを従来と同様の５７．５ｍｍとし、ヒンジ側端部２８Ｂの高さｂを５ｍｍとして、その間の高さを滑らかに変化させる例が挙げられる。
【００２１】
なお、下２段の収納ポケット２４，２６については、この実施形態では壁の高さが幅方向で一定に設定されている。
【００２２】
以上よりなる本実施形態の冷蔵庫扉１０において、収納ポケット２０，２２に収納されている食品等の収納物Ｓは、図２に示すように、扉１０の開閉時にヒンジ部３の軸３ａを中心とした回転運動を行うため、ヒンジ部３からの距離を半径とした周速度により収納物Ｓにかかる慣性力が変化する。本実施形態では、収納ポケット２０，２２の壁２８の高さを、収納物Ｓにかかる慣性力に対応させて、反ヒンジ側２８Ａで高く、ヒンジ側２８Ｂで低く設定している。すなわち、収納ポケット２０，２２の壁２８は、収納物Ｓの飛び出しを防止しながら可能な限り低く設定されている。そのため、特に壁２８の高さの低いヒンジ側２８Ｂにおいて収納物Ｓを出し入れし易く、従って、収納ポケット２０，２２の使い勝手がよい。
【００２３】
図３は、第２の実施形態に係る冷蔵庫扉３０の斜視図である。第２の実施形態は、上記第１の実施形態の冷蔵庫扉１０において、収納ポケット２０，２２を扉３０の幅方向において２つに分割した例である。
【００２４】
すなわち、第２の実施形態において、上２段の収納ポケット２０，２２は、それぞれ幅方向中央部で左右２つに分割されている。そして、反ヒンジ側の収納ポケット２０Ａ，２２Ａに対してヒンジ側の収納ポケット２０Ｂ，２２Ｂの方が壁２８が低く設定されている。詳細には、壁２８は、反ヒンジ側の収納ポケット２０Ａ，２２Ａの反ヒンジ側端部２８Ａからヒンジ側の収納ポケット２０Ｂ，２２Ｂのヒンジ側端部２８Ｂにかけて漸次に高さが低くなるようになだらかに傾斜した形状に形成されており、従って、左右の収納ポケット２０Ａ，２２Ａ；２０Ｂ，２２Ｂの隣接角部の高さは略同一高さに設定されている。
【００２５】
このように収納ポケット２０，２２が扉３０の幅方向に複数に分割されている場合にも、第１の実施形態と同様に、収納ポケット２０，２２の壁２８を、収納物Ｓの飛び出しを防止しながら可能な限り低く設定して、使い勝手を改善することができる。
【００２６】
図４は、第３の実施形態に係る冷蔵庫扉４０の斜視図である。第３の実施形態は、上記第１の実施形態における収納ポケット２０，２２の壁２８の高さ構成を、収納ポケット２０，２２の左右両側から適用した例である。
【００２７】
すなわち、この実施形態では、上２段の収納ポケット２０，２２において、壁２８の高さが、幅方向両端部２８Ａ，２８Ｂに対して中央部２８Ｃで低く設定されている。詳細には、反ヒンジ側端部２８Ａの高さａとヒンジ側端部２８Ｂの高さｂを同一の高さで最も高くし、幅方向中央部２８Ｃの高さｃを最も低くしている。また、この実施形態では、壁２８は、左右両端部２８Ａ，２８Ｂから中央部２８Ｃにかけて、中央部２８Ｃほど漸次に高さが低くなるように傾斜した形状に形成されている。中央部２８Ｃの高さｃは、左右両端部２８Ａ，２８Ｂの高さａ，ｂの２／３以下に設定することが好適である。
【００２８】
より具体的な例として、幅６７０ｍｍの扉１０において、収納ポケット２０，２２が５００ｍｌ入りの飲料缶（高さ１６７ｍｍ、直径６６ｍｍ）を収納可能であり、その幅ｗが４５０ｍｍ、奥行きｄが１５０ｍｍである場合に、左右両端部２８Ａ，２８Ｂの高さａ，ｂを従来と同様の５７．５ｍｍとし、中央部２８Ｃの高さｃを３１．５ｍｍとして、その間の高さを滑らかに変化させる例が挙げられる。
【００２９】
以上よりなる第３の実施形態の場合、収納ポケット２０，２２の壁２８の高さを幅方向両端部２８Ａ，２８Ｂに対して中央部２８Ｃで低く設定しているため、中央部２８Ｃにおいて収納物を出し入れし易く、使い勝手がよい。しかも、冷蔵庫扉４０が左開きタイプの場合でも右開きタイプの場合でも、この収納ポケット２０，２２であれば、扉４０の開閉時に大きな慣性力がかかる端部２８Ａ，２８Ｂの壁高さが高い。そのため、収納ポケット２０，２２を両タイプ兼用で使用する場合にも、収納物の飛び出しを防止することができる。更に、収納ポケット２０，２２の壁２８の高さが左右対称であるため、意匠性にも優れる。
【００３０】
図５は、第４の実施形態に係る冷蔵庫扉５０の斜視図である。第５の実施形態は、上記第３の実施形態の冷蔵庫扉４０において、収納ポケット２０，２２を扉５０の幅方向において２つに分割した例である。
【００３１】
すなわち、第４の実施形態において、上２段の収納ポケット２０，２２は、それぞれ幅方向中央部で左右２つに分割されている。そして、反ヒンジ側の収納ポケット２０Ａ，２２Ａとヒンジ側の収納ポケット２０Ｂ，２２Ｂの壁２８は、ともに扉５０中央側ほど壁２８が低くなるようになだらかに傾斜した形状に形成されている。
【００３２】
このように収納ポケット２０，２２が扉５０の幅方向に複数に分割されている場合にも、第３の実施形態と同様に、左開きタイプ用と右開きタイプ用とで同一の部品を使用することができ、しかも、収納ポケット２０，２２の壁２８を、収納物の飛び出しを防止しながら可能な限り低く設定して、使い勝手を改善することができる。
【００３３】
【発明の効果】
本発明の第１の冷蔵庫扉であると、扉内側の収納ポケットにおいて、収納物の飛び出しを防止しながら、特にヒンジ側において収納物を出し入れし易くして、使い勝手を改善することができる。
【００３４】
本発明の第２の冷蔵庫扉であると、扉内側の収納ポケットにおいて、収納物の飛び出しを防止しながら、特に中央部において収納物を出し入れし易くして、使い勝手を改善することができる。また、収納ポケットとして左開きタイプ用と右開きタイプ用とで同一の部品を使用することができる。また、扉が左右両開き式の場合にも収納物の飛び出しを防止しながら使い勝手を改善することができる。さらに、収納ポケットの壁の高さを左右対称にすることができるため、意匠性にも優れる。
【図面の簡単な説明】
【図１】本発明の第１の実施形態に係る冷蔵庫扉の斜視図である。
【図２】同実施形態の冷蔵庫扉の平面図である。
【図３】第２の実施形態に係る冷蔵庫扉の斜視図である。
【図４】第３の実施形態に係る冷蔵庫扉の斜視図である。
【図５】第４の実施形態に係る冷蔵庫扉の斜視図である。
【図６】従来の冷蔵庫の開扉時における斜視図である。
【符号の説明】
１……冷蔵庫本体
３……ヒンジ部
１０，３０，４０，５０……冷蔵室扉
２０，２２……収納ポケット
２８……壁
２８Ａ……反ヒンジ側端部
２８Ｂ……ヒンジ側端部
２８Ｃ……中央部
【図１】
0003708000.tif 000002
【図２】
0003708000.tif 000003
【図３】
0003708000.tif 000004
【図４】
0003708000.tif 000005
【図５】
0003708000.tif 000006
【図６】
0003708000.tif 000007